(57)【要約】【課題】操作時に操作者の視覚に訴えることで、さらに誤操作を低減すること。【解決手段】ＩＤ情報を入力させるＩＤ情報入力部１０１と、液晶タッチパネル１０２と、ＩＤ情報が正当であるか否かを判断する照合部１１３と、ＩＤ情報が正当であると判断された場合に、警備区域の警備状態が警備モードのときには液晶タッチパネル１０２に警備解除ボタンを表示させ、警備状態が警備解除モードのときには警備ボタンを表示させる表示制御部１１８と、液晶タッチパネル１０２から警備ボタンがタッチされた場合に警備状態を警備モードに切替え、警備解除ボタンがタッチされた場合には警備状態を警備解除モードに切替える警備状態切替部１１２とを備えた。【選択図】　　　図１
2004046456.tif 000002
【特許請求の範囲】
【請求項１】
監視対象の警備区域における異常を検知する検知手段に接続され、警備区域が警備中のときに、前記検知手段によって異常が検知された場合に警報を監視センタに出力する警報装置であって、
固有の識別情報を入力させる識別情報入力手段と、
描画情報を表示し、表示された描画情報に対する指示操作を入力する表示入力手段と、
前記識別情報入力手段によって入力された識別情報が正当であるか否かを判断する照合手段と、
前記照合手段によって前記入力された識別情報が正当であると判断された場合に、前記警備区域の警備状態が警備のときには前記表示入力手段に警備解除を指定する警備解除指示情報を表示し、前記警備状態が警備でないときには前記表示入力手段に警備開始を指定する警備指示情報を表示させる表示制御手段と、
前記表示入力手段から前記警備指示情報が指定された場合に前記警備状態を警備に切替え、前記表示入力手段から前記警備解除指示情報が指定された場合に前記警備状態を警備解除に切替える切替手段と、
を備えたことを特徴とする警報装置。
【請求項２】
前記表示制御手段は、前記警備指示情報と前記警備解除指示情報とを、前記表示入力手段の異なる位置に表示させることを特徴とする請求項１に記載の警報装置。
【請求項３】
前記表示制御手段は、前記警備指示情報またはその周辺領域の表示属性と前記警備解除指示情報またはその周辺領域の表示属性とを異なる属性に設定して前記表示入力手段に表示させることを特徴とする請求項１または２に記載の警報装置。
【請求項４】
前記検知手段が警備に適した状態にあるか否かを判断する判別手段をさらに備え、
前記表示制御手段は、前記判別手段によって前記検知手段が警備に適した状態にあると判断した場合にのみ、前記警備指示情報を前記表示入力手段に表示させることを特徴とする請求項１〜３のいずれか一つに記載の警報装置。
【請求項５】
監視対象の警備区域における異常を検知する検知手段に接続され、警備区域が警備中のときに、前記検知手段によって異常が検知された場合に警報を監視センタに出力する警報装置であって、
固有の識別情報を入力させる識別情報入力手段と、
描画情報を表示し、表示された描画情報に対する指示操作を入力する表示入力手段と、
前記識別情報入力手段によって入力された識別情報が正当であるか否かを判断する照合手段と、
前記照合手段によって前記入力された識別情報が正当であると判断された場合に、警備解除を指定する警備解除指示情報と、警備開始を指定する警備指示情報とを、前記表示入力手段に同時に表示させる表示制御手段と、
前記警備状態が警備であるときにのみ、前記表示入力手段による前記警備解除指示情報の指定を受け付けて前記警備状態を警備解除に切り替え、前記警備状態が警備でないときにのみ、前記表示入力手段による前記警備指示情報の指定を受け付けて前記警備状態を警備解除に切り替える切替手段と、
を備えたことを特徴とする警報装置。
【請求項６】
前記表示制御手段は、前記警備指示情報の表示属性と前記警備解除指示情報の表示属性を、および／または前記警備指示情報の周辺領域の表示属性と前記警備解除指示情報の周辺領域の表示属性を、異なる属性に設定して前記表示入力手段に同時に表示させることを特徴とする請求項５に記載の警報装置。
【請求項７】
前記表示制御手段は、前記警備指示情報の描画形状と前記警備解除指示情報の描画形状とを異なる形状で生成し、前記表示入力手段に表示させることを特徴とする請求項１〜６のいずれか一つに記載の警報装置。
【請求項８】
前記表示制御手段は、前記表示入力手段による前記警備解除指示情報または前記警備指示情報の指定があった場合、指定された指示情報の表示属性を変更して前記表示入力手段に表示させることを特徴とする請求項１〜７のいずれか一つに記載の警報装置。
【請求項９】
前記表示入力手段から前記警備指示情報が第１の所定時間以上指定されたときに、警備開始を前記切替手段に指示し、前記表示入力手段から前記警備解除指示情報が前記第１の所定時間と異なる第２の所定時間以上指定されたときに警備解除を前記切替手段に指示する入力検出手段をさらに備えたことを特徴とする請求項１〜８のいずれか一つに記載の警報装置。
【発明の詳細な説明】
【０００１】
【発明の属する技術分野】
この発明は、監視区域の警備状態に応じて各種センサの検知出力を監視センタに送信する警報装置に関し、特に警備の開始または警備の解除操作の誤りによる誤報を低減する警報装置に関するものである。
【０００２】
【従来の技術】
従来の警報装置では、通常カードリーダを用い、カードリーダに予めＩＤが登録されているカードを入力して、カードから読みとったＩＤと警報装置内に登録されているＩＤとが一致した場合に、警備開始または解除を行うようになっている。
【０００３】
図１９は従来の警報装置の構成の一例を示す説明図である。監視エリアである建物の最終退出者は、監視エリアの天井、扉、窓等に設置され、侵入者等による異常を検知する各種防犯センサ１９１０ａ〜１９１０ｎが警備に適した状態であることを確認してから、つまりこれらの各種防犯センサ１９１０ａ〜１９１０ｎが処理部１９０２に検知信号を送出していないことを確認してからＩＤ情報入力部であるカードリーダ１９０１にカードを挿入する。
【０００４】
カードリーダ１９０１はカードのＩＤ情報を読取り、該ＩＤ情報を処理部１９０２に出力する。処理部１９０２は、カードのＩＤ情報と記憶部１９０３に予め設定されているＩＤ情報を照合し、一致した場合は警備モードを警備解除状態から警備状態に切換える。つまり、処理部１９０２はこの警備状態中に各種防犯センサ１９１０ａ〜１９１０ｎの検知信号を入力すると警報送信部１９０４に信号を出力し、該警報送信部１９０４は監視センタに警報を送信する。
【０００５】
そして、一番目に建物（監視エリア）に来た者がカードリーダ１９０１にカードを挿入すると、前述と同様カードリーダ１９０１がカードのＩＤ情報を処理部１９０２に出力し、該処理部１９０２での照合が一致すると警備モードを警備状態から警備解除状態に切換える。
【０００６】
ここで、警備状態とは処理部１９０２が各種防犯センサ１９１０ａ〜１９１０ｎより検知信号が入力されたときに警報送出部１９０４に信号を出力し、該警報送信部１９０４が監視センタに警報を送信する状態のことをいう。警備解除状態とは、処理部１９０２がセンサの検知信号を入力しても警報送信部１９０４に信号を出力しない、つまり監視センタに警報を送信しない状態をいう。
【０００７】
【発明が解決しようとする課題】
しかしながら、このような従来の警報装置では次のような問題がある。即ち、カードリーダ１９０１においては、カードを操作するたびに警備モードが反転するので、警備が解除されているときに誤ってカードを操作すると、警備が開始されてしまい監視センタに誤った警報を送信してしまう。また、逆に警備状態の時に誤ってカードを操作すると警備解除になり無警備状態になって侵入者等を検知できないという問題があった。
【０００８】
さらに、窓や扉が開いていて、そこに設置したセンサが検知信号を出力しているにもかかわらず、警備モードを警備解除状態から警備状態に切り替えると監視センタに警報を出力してしまうという問題がある。例えば、以下に示すような原因がある。
【０００９】
（１）２番目以降に出社した者が１番目だと思ってカードを操作する。即ち、一番に出社した者が既に警備を解除しているので２番目以降の者がカードを操作すると警備状態に移行し、誤った警報を送信してしまう。
【００１０】
（２）すでに警備状態であるのに最終退出者と思ってカードを操作する。即ち、既に警備状態にあるときに誤ってカードを操作すると警備解除状態、つまり無警備状態となり、侵入者があった場合にも検知しないという事態が発生する。
【００１１】
（３）操作者はＩＤ情報入力部がカードのＩＤ情報を読み取ったかどうか確認できず、２度操作してしまう。即ち、一度正常な操作をしたにもかかわらず、その操作が有効であったのかどうか不安になり再度操作すると、上述した（１）、（２）の問題が発生する。
【００１２】
（４）各種センサが検知信号を出力しているときは通常、その旨の表示をＩＤ情報入力部の近傍に表示させるようにするが、操作者はそれを見ることなくカードを操作してしまう。
【００１３】
上述した（１）〜（３）は操作者が現在の警備モードと操作後の警備モードを認識しないで慣れによって操作してしまうこと、および警備解除と警備開始の操作が単調であることに起因するものと考えられる。また（４）に関しては、警備モードの切り替え時に監視領域が警備に適した状態であるかどうかを認識できる有効な手段がなかった点にある。
【００１４】
そこで、出願人は、特開２００１−１８８９７６号公報に記載の警報装置を開発した。この警報装置は、カードリーダへのカードの挿入を制限する入力制限手段を設け、警備切替操作の際、この入力制限手段の解除によりカードリーダへのカード挿入を可能な状態にした後で、ＩＤカードのカードリーダへの挿入操作を行うという２段階の操作を利用者に行わせるものである。この警報装置によれば、２段階の警備切替操作によって監視センタへの誤報を低減することができる点で優れている。
【００１５】
監視センタは警報装置から警報を受けると、警報装置の監視対象である警備区域に警備員等を向かわせるが、警報が誤報である場合には、当該警備員にとって無駄な時間を割くことになるため、誤報のさらなる低減を行うことが望ましい。誤報の原因は上述した通り、操作者の慣れによる誤解に基づくものが多いため、警備切替の操作時に操作者の視覚に訴える操作を設ければ、誤報のさらなる低減を図ることができると考えられる。
【００１６】
この発明は上記に鑑みてなされたもので、操作時に操作者の視覚に訴えることで、さらに誤操作を低減することができる警報装置を得ることを目的とする。
【００１７】
【課題を解決するための手段】
上記目的を達成するため、請求項１にかかる発明は、監視対象の警備区域における異常を検知する検知手段に接続され、警備区域が警備のときに、前記検知手段によって異常が検知された場合に警報を監視センタに出力する警報装置であって、固有の識別情報を入力させる識別情報入力手段と、描画情報を表示し、表示された描画情報に対する指示操作を入力する表示入力手段と、前記識別情報入力手段によって入力された識別情報が正当であるか否かを判断する照合手段と、前記照合手段によって前記入力された識別情報が正当であると判断された場合に、前記警備区域の警備状態が警備のときには前記表示入力手段に警備解除を指定する警備解除指示情報を表示し、前記警備状態が警備でないときには前記表示入力手段に警備開始を指定する警備指示情報を表示させる表示制御手段と、前記表示入力手段から前記警備指示情報が指定された場合に前記警備状態を警備に切替え、前記表示入力手段から前記警備解除指示情報が指定された場合に前記警備状態を警備解除に切替える切替手段と、を備えたことを特徴とする。
【００１８】
この請求項１の発明によれば、表示制御手段によって、照合手段に入力された識別情報が正当であると判断された場合に、警備区域の警備状態が警備のときには表示入力手段に警備解除を指定する警備解除指示情報を表示し、警備状態が警備でないときには表示入力手段に警備開始を指定する警備指示情報を表示させ、切替手段によって、表示入力手段から警備指示情報が指定された場合に警備状態を警備に切替え、表示入力手段から警備解除指示情報が指定された場合に警備状態を警備解除に切替えることで、警備切替の際に、表示入力手段への警備指示情報または警備解除指示情報の表示、表示された各指示情報の指定という視覚的要素を含む操作を、識別情報の入力操作と併せて２段階で操作者に行わせている。このため、操作者は現在の警備状態を把握することが容易となり、警備切替時の誤操作を防止し、警報装置の誤報のさらなる低減を図ることができる。
【００１９】
また、この請求項１にかかる発明では、表示制御手段によって、表示入力手段に警備状態が警備のときに警備解除指示情報を、警備でないときには警備指示情報を別々に表示させているので、警備指示情報と警備解除指示情報の誤った指定を未然に防止し、警報装置の誤報のさらなる低減を図ることができる。
【００２０】
また、請求項２にかかる発明は、請求項１に記載の警報装置において、前記表示制御手段は、前記警備指示情報と前記警備解除指示情報とを、前記表示入力手段の異なる位置に表示させることを特徴とする。
【００２１】
警備切替時の２段階操作の慣れによって、識別情報入力後の指示情報の種類を意識せずに誤った指定をする場合がある。この請求項２の発明によれば、表示制御手段によって、警備指示情報と警備解除指示情報とを、表示入力手段の異なる位置に表示させることで、警備状態によって指定すべき指示情報を操作者に視覚的に認識させ、警備指示情報と警備解除指示情報の誤った指定を未然に防止し、警報装置の誤報のさらなる低減を図ることができる。
【００２２】
また、請求項３にかかる発明は、請求項１または２に記載の警報装置において、前記表示制御手段は、前記警備指示情報またはその周辺領域の表示属性と前記警備解除指示情報またはその周辺領域の表示属性とを異なる属性に設定して前記表示入力手段に表示させることを特徴とする。
【００２３】
この請求項３の発明によれば、表示制御手段によって、警備指示情報またはその周辺領域の表示属性と警備解除指示情報またはその周辺領域の表示属性とを異なる属性に設定して表示入力手段に表示させることで、警備状態によって指定すべき指示情報を表示属性の相違によって操作者に視覚的により明確に認識させ、警備指示情報と警備解除指示情報の誤った指定を未然に防止し、警報装置の誤報のさらなる低減を図ることができる。
【００２４】
ここで、表示属性とは、各指示情報または周辺領域を画面表示する際の属性であり、例えば、輝度、明度、彩度、色、反転などが該当する。また、周辺領域には、各指示情報から一定範囲の領域の他、表示入力手段の画面全体領域も含まれる。
【００２５】
また、請求項４にかかる発明は、請求項１〜３のいずれか一つに記載の警報装置において、前記検知手段が警備に適した状態にあるか否かを判断する判別手段をさらに備え、前記表示制御手段は、前記判別手段によって前記検知手段が警備に適した状態にあると判断した場合にのみ、前記警備指示情報を前記表示入力手段に表示させることを特徴とする。
【００２６】
警備区域の検知手段が検知信号を出力している等の検知手段が警備に適した状態でない場合に警備状態を警備に切り替えると、不要な警報が監視センタに送信されてしまう。このため、検知手段が警備に適さない場合は、カードリーダなどの操作を行っても警備状態を警備に切り替えず、警備に適さない旨の出力（ランプ、音声など）を行うという技術があるが、この場合、操作者がランプ等の出力に気付かずに帰宅すると、無警備状態となってしまう。
【００２７】
そこで、この請求項４の発明によれば、表示制御手段によって、判別手段による判別結果が検知手段が警備に適した状態にあると判断した場合にのみ、警備指示情報を表示入力手段に表示させることで、検知手段が警備に適さない状態にある場合には、表示入力手段に警備指示情報を表示せず、物理的に警備状態の警備への切り替えを不可能としているので、警備区域が無警備状態になることを防止することができる。
【００２８】
また、請求項５にかかる発明は、監視対象の警備区域における異常を検知する検知手段に接続され、警備区域が警備のときに、前記検知手段によって異常が検知された場合に警報を監視センタに出力する警報装置であって、固有の識別情報を入力させる識別情報入力手段と、描画情報を表示し、表示された描画情報に対する指示操作を入力する表示入力手段と、前記識別情報入力手段によって入力された識別情報が正当であるか否かを判断する照合手段と、前記照合手段によって前記入力された識別情報が正当であると判断された場合に、警備解除を指定する警備解除指示情報と、警備開始を指定する警備指示情報とを、前記表示入力手段に同時に表示させる表示制御手段と、前記警備状態が警備であるときにのみ、前記表示入力手段による前記警備解除指示情報の指定を受け付けて前記警備状態を警備解除に切り替え、前記警備状態が警備でないときにのみ、前記表示入力手段による前記警備指示情報の指定を受け付けて前記警備状態を警備解除に切り替える切替手段と、を備えたことを特徴とする。
【００２９】
この請求項５の発明によれば、表示制御手段によって、入力された識別情報が正当であると判断された場合に、警備解除を指定する警備解除指示情報と、警備開始を指定する警備指示情報とを、表示入力手段に同時に表示させ、切替手段によって、警備状態が警備であるときにのみ表示入力手段による警備解除指示情報の指定を受け付けて警備状態を警備解除に切り替え、警備状態が警備でないときにのみ表示入力手段による警備指示情報の指定を受け付けて警備状態を警備解除に切り替えることで、警備切替の際に、表示入力手段への警備指示情報および警備解除指示情報の表示、表示された各指示情報の指定という視覚的要素を含む操作を、識別情報の入力操作と併せて２段階で操作者に行わせている。このため、操作者は現在の警備状態を把握することが容易となり、警備切替時の誤操作を防止し、警報装置の誤報のさらなる低減を図ることができる。
【００３０】
また、この請求項５の発明によれば、警備状態が警備であるときにのみ警備解除指示情報の指定を受け付け、警備状態が警備でないときにのみ警備指示情報の指定を受け付けるので、表示入力手段から警備指示情報と警備解除指示情報の誤った指定がされた場合でも警備状態の切り替えは行わず、警報装置の誤報のさらなる低減を図ることができる。
【００３１】
また、請求項６にかかる発明は、請求項５に記載の警報装置において、前記表示制御手段は、前記警備指示情報の表示属性と前記警備解除指示情報の表示属性を、および／または前記警備指示情報の周辺領域の表示属性と前記警備解除指示情報の周辺領域の表示属性を、異なる属性に設定して前記表示入力手段に同時に表示させることを特徴とする。
【００３２】
この請求項６の発明によれば、表示制御手段によって、警備指示情報の表示属性と警備解除指示情報の表示属性を、および／または警備指示情報の周辺領域の表示属性と警備解除指示情報の周辺領域の表示属性を、異なる属性に設定して表示入力手段に同時に表示させることで、警備状態によって指定すべき指示情報を表示属性の相違によって操作者に視覚的により明確に認識させ、警備指示情報と警備解除指示情報の誤った指定を未然に防止し、警報装置の誤報のさらなる低減を図ることができる。
【００３３】
ここで、表示属性とは、各指示情報または周辺領域を画面表示する際の属性であり、例えば、輝度、明度、彩度、色、反転などが該当する。
【００３４】
また、請求項７にかかる発明は、請求項１〜６のいずれか一つに記載の警報装置において、前記表示制御手段は、前記警備指示情報の描画形状と前記警備解除指示情報の描画形状とを異なる形状で生成し、前記表示入力手段に表示させることを特徴とする。
【００３５】
この請求項７の発明によれば、表示制御手段によって、警備指示情報の描画形状と警備解除指示情報の描画形状とを異なる形状で生成し、表示入力手段に表示させることで、警備状態によって指定すべき指示情報を形状の相違によって操作者に視覚的により明確に認識させ、警備指示情報と警備解除指示情報の誤った指定を未然に防止し、警報装置の誤報のさらなる低減を図ることができる。
【００３６】
また、請求項８にかかる発明は、請求項１〜７のいずれか一つに記載の警報装置において、前記表示制御手段は、前記表示入力手段による前記警備解除指示情報または前記警備指示情報の指定があった場合、指定された指示情報の表示属性を変更して前記表示入力手段に表示させることを特徴とする。
【００３７】
この請求項８の発明によれば、表示制御手段によって、表示入力手段による警備解除指示情報または警備指示情報の指定があった場合、指定された指示情報の表示属性を変更して表示入力手段に表示させることで、操作者に指示情報を指定したことおよび自分が指定した指示情報を確認させ、指示情報の誤操作による警報装置の誤報のさらなる低減を図ることができる。
【００３８】
また、請求項９にかかる発明は、請求項１〜８のいずれか一つに記載の警報装置において、前記表示入力手段から前記警備指示情報が第１の所定時間以上指定されたときに、警備開始を前記切替手段に指示し、前記表示入力手段から前記警備解除指示情報が前記第１の所定時間と異なる第２の所定時間以上指定されたときに警備解除を前記切替手段に指示する入力検出手段をさらに備えたことを特徴とする。
【００３９】
この請求項９の発明によれば、入力検出手段によって、警備指示情報が第１の所定時間以上指定されたときに警備開始を切替手段に指示し、警備解除指示情報が前記第１の所定時間と異なる第２の所定時間以上指定されたときに警備解除を切替手段に指示することで、操作者が現在の警備状態を認識することができ、指示情報の誤操作による警報装置の誤報のさらなる低減を図ることができる。
【００４０】
【発明の実施の形態】
以下に添付図面を参照して、この発明にかかる警報装置の好適な実施の形態を詳細に説明する。なお、以下に説明する各実施の形態の警報装置は、いずれもテナントを有するビルの１階部分に設置されている例を示している。
【００４１】
（実施の形態１）
図１は、この発明の実施の形態１である警報装置の構成を示すブロック図である。図１に示すとおり、本実施の形態の警報装置１００は、ＩＤ情報入力部１０１と、液晶タッチパネル１０２と、制御部１１０と、メッセージ出力部１０３とから構成され、監視対象の警備区域に設置された各種防犯センサ１２０ａ〜１２０ｎに接続されている。
【００４２】
各種防犯センサ１２０ａ〜１２０ｎは、警備区域の天井、扉、窓等に設置され、侵入者等の異常を検知すると警報装置１００に検知信号を出力する。
【００４３】
ＩＤ情報入力部１０１は、本発明における識別情報入力手段を構成し、本実施の形態ではカードリーダを使用している。このカードリーダ１０１は　操作者によって挿入されたＩＤカード（　図示せず）　に記憶されている固有のＩＤ情報を読み取り、読み取ったとったＩＤ情報を照合部１１３に出力するようになっている。なお、ＩＤ情報は本発明における識別情報を構成する。ＩＤ情報はＩＤカードが正当なものであると識別できるものであればどのような情報を用いても良い。
【００４４】
液晶タッチパネル１０２は、本発明における表示入力手段を構成し、画面上に各種描画情報を表示し、表示された描画情報に対するタッチ操作を可能とするものである。液晶タッチパネル１０２に対する表示制御は、後述する表示制御部１１８が行い、液晶タッチパネル１０２からのタッチ操作に対する処理は、後述するタッチ検出部１１７が行う。
【００４５】
制御部１１０は、警報装置１００におけるＩＤ情報の照合や、警備状態の切替え、液晶タッチパネル１０２への表示、液晶タッチパネル１０２からのタッチ入力など各種制御を行うものである。この制御部１１０は、検知信号入力部１１１と、警備状態切替部１１２と、照合部１１３と、警報送信部１１６と、タッチ検出部１１７と、表示制御部１１８と、ＩＤ情報記憶部１１４と、警備状態記憶部１１５とから構成されている。
【００４６】
表示制御部１１８は、各種描画情報を生成して表示属性を設定し、画面上の位置座標を指定して生成した描画情報を液晶タッチパネル１０２に表示するものである。本実施の形態では、表示制御部１１８は、描画情報として警備ボタンと警備解除ボタンを液晶タッチパネル１０２に表示させる。警備ボタンは、警備開始を指示するためのボタンであり、本発明における警備指示情報を構成する。警備解除ボタンは、警備解除を指示するためのボタンであり、本発明における警備解除指示情報を構成する。いずれのボタンも液晶タッチパネル１０２の画面上からタッチ操作が可能となっている。なお、表示制御部１１８による表示制御の詳細は後述する。
【００４７】
タッチ検出部１１７は、液晶タッチパネル１０２の画面上からタッチ操作が行われたときに送出されるタッチ信号を検出する。そして、タッチ操作が行われたボタンが警備ボタンか警備解除ボタンかを判断し、警備ボタンの場合には警備信号を警備状態切替部１１２に送出し、警備解除ボタンの場合には警備解除信号を警備状態切替部１１２に送出するようになっている。
【００４８】
ＩＤ情報記憶部１１４は、警報装置を操作可能な操作者を識別するための固有情報であるＩＤ情報が予め記憶されている。このＩＤ情報と、ＩＤカードに設定されたＩＤ情報とが後述する照合部１１３によって照合されるようになっている。
【００４９】
警備状態記憶部１１５は、警備区域の現在の警備状態を記憶している。この警備状態は、警備区域の現在の警備の状態を示すものであり、警備中の状態である場合には警備状態に警備モードが、警備中でない状態の場合には、警備状態に警備解除モードがそれぞれ設定される。
【００５０】
照合部１１３は、ＩＤ情報記憶部１１４に予め設定されたＩＤ情報とカードリーダ１０１から入力したＩＤ情報を照合し、一致した場合にはメッセージ出力部１０３にメッセージ内容を指定したメッセージ要求信号を出力する。
【００５１】
警備状態切替部１１２は、本発明における切替手段を構成し、警備状態を警備モードまたは警備解除モードに切換えるものである。具体的には、警備状態記憶部１１５に設定されている警備状態を、警備モードから警備解除モードに、あるいはその逆に設定する。なお、かかる切替制御の詳細については後述する。
【００５２】
検知信号入力部１１１は、各種防犯センサ１２０ａ〜１２０ｎからの検知信号を受信し、警備状態記憶部１１５に記憶されている警備状態が警備モードのときに警報送信部１１６　に警報要求信号を出力するものである。
【００５３】
警報送信部１１６は、検知信号入力部１１１から警報要求信号を入力すると遠隔地の監視センタに警報を送信する。
【００５４】
メッセージ出力部１０３　は照合部１１３からのメッセージ要求信号を入力すると、所定のメッセージを出力する。なお、本実施の形態では、メッセージ出力部１０３　が出力するメッセージとして音声を用いる。なお、メッセージ出力部１０３が出力するメッセージとしては、音声出力の他、ランプ、文字の表示等を用いることができる。また、メッセージ出力部１０３が出力するメッセージは、操作者にこれから行う操作を認識させるものであればよい。
【００５５】
次に、以上のように構成された本実施の形態にかかる警報装置１００における警備状態の切替処理について説明する。図２は、本実施の形態にかかる警報装置１００における警備状態の切替の全体処理の手順を示すフローチャートである。
【００５６】
操作者がカードリーダ１０１にＩＤカードを挿入すると、まず照合部１１３がＩＤ情報記憶部１１４に記憶されているＩＤ情報を読み出して（ステップＳ２０１）、ＩＤカードから読みとったＩＤ情報と一致するＩＤ情報があるか否かを判断する（ステップＳ２０２）。そして、一致しない場合には（ステップＳ２０２：Ｎｏ）、照合部１１３は、「正しいカードを入力してください」等のメッセージ内容とともにメッセージ出力部１０３にメッセージ要求信号を出力し、これによってメッセージ出力部１０３によって上記エラーメッセージが出力される（ステップＳ２０３）。
【００５７】
一方、照合結果が一致する場合には（ステップＳ２０２：Ｙｅｓ）、表示制御部１１８による液晶タッチパネル１０２への警備ボタンまたは警備解除ボタンの表示処理が実行される（ステップＳ２０４）。図３は、表示制御部１１８による液晶タッチパネル１０２に対する警備ボタンまたは警備解除ボタンの表示処理の手順を示すフローチャートである。
【００５８】
表示制御部１１８では、まず警備状態記憶部１１５からの警備状態を読み込み（ステップＳ３０１）、警備状態を判断する（ステップＳ３０２）。そして、現在の警備状態が警備解除モードの場合（ステップＳ３０２：警備解除モード）、すなわち警備区域が警備中でない場合には、警備ボタンを液晶タッチパネル１０２に表示するために次の処理を行う。まず、描画する警備ボタンの形状を生成し（ステップＳ３０３）、生成された警備ボタンおよび背景（バックライト）の表示属性を設定し（ステップＳ３０４）、警備ボタンの座標位置を決定する（ステップＳ３０５）。そして、生成した警備ボタンを設定された表示属性で背景と共に液晶タッチパネル１０２に出力する（ステップＳ３０６）。これにより、液晶タッチパネル１０２の画面に警備ボタンのみが表示されることになる。
【００５９】
一方、ステップＳ３０２の警備状態の判断において、現在の警備状態が警備モードの場合（ステップＳ３０２：警備モード）、すなわち警備区域が警備中である場合には、警備解除ボタンを液晶タッチパネル１０２に表示するために次の処理を行う。まず、描画する警備ボタンの形状を生成し（ステップＳ３０７）、生成された警備ボタンおよび背景（バックライト）の表示属性を設定し（ステップＳ３０８）、警備ボタンの座標位置を決定する（ステップＳ３０９）。そして、生成した警備ボタンを設定された表示属性で背景と共に液晶タッチパネル１０２に出力する（ステップＳ３１０）。これにより、液晶タッチパネル１０２の画面に警備解除ボタンのみが表示されることになる。
【００６０】
図４（ａ）は、本実施の形態の液晶タッチパネル１０２の画面上における警備ボタンの表示例を示す説明図であり、図４（ｂ）は、警備解除ボタンの表示例を示す説明図である。図４（ａ）および（ｂ）に示すように、本実施形態の警報装置１００では、警備状態に応じて警備ボタンと警備解除ボタンのいずれか一方が表示されることになるので、警備モードのときに警備ボタンをタッチしたり、警備解除モードのときに警備解除ボタンをタッチするような操作者の誤操作を未然に回避できるようになっている。
【００６１】
ここで、ステップＳ３０５およびＳ３０９で、警備ボタンと警備解除ボタンの表示座標位置を異なる位置に設定して表示することも可能である。図５（ａ）および（ｂ）は、警備ボタンと警備解除ボタンを異なる座標位置に表示した場合の表示例を示す説明図である。図５（ａ）に示すように、警備ボタンが液晶タッチパネル１０２の画面上側に表示され、警備解除ボタンが液晶タッチパネル１０２の画面下側に表示されている。このように各ボタンの表示位置を変えることにより、操作者に対し現在の警備状態において行うべきボタンのタッチ操作を視覚的に認識させることができ、誤操作を未然に防止することができる。
【００６２】
また、ステップＳ３０４およびＳ３０８で、警備ボタンと警備解除ボタンの表示属性を異なる属性に設定すると、両ボタンが異なって液晶タッチパネル１０２に表示される。表示属性としては、輝度、明度、彩度、色彩、反転の有無などを設定することができる。また、ボタンの表示属性ではなく、各ボタン表示時の背景の表示属性の設定を、警備ボタン表示時と警備解除ボタン表示時とで異なるようにしても良い。図６（ａ）および（ｂ）は、警備ボタンと警備解除ボタンを異なる表示属性で表示した場合の表示例を示す説明図である。なお、この図では、各ボタンのハッチング種別により表示属性の相違を示している。図６（ａ）および（ｂ）に示すように、警備ボタンの表示属性と警備解除ボタンの表示属性とが異なった属性で表示されている。このように各ボタンの表示属性を変えることにより、操作者に対し現在の警備状態において行うべきボタンのタッチ操作を視覚的に認識させることができ、誤操作を未然に防止することができる。
【００６３】
また、ステップＳ３０３およびＳ３０７で、警備ボタンと警備解除ボタンの形状を異なる形状で生成するように構成しても良い。この場合も、操作者に対し現在の警備状態において行うべきボタンのタッチ操作を視覚的に認識させることができ、誤操作を未然に防止することができる。
【００６４】
図２に戻り、ステップＳ２０４において、表示制御部１１８による液晶タッチパネル１０２への警備ボタンまたは警備解除ボタンの表示処理が完了すると、操作者によるタッチ操作の入力待ち状態となる。そして、操作者が液晶タッチパネル１０２に表示された各ボタンのタッチ操作を行った場合、タッチ検出部１１７によって入力されたボタンの種別を判断する（ステップＳ２０５）。
【００６５】
ここで、本実施の形態では、液晶タッチパネル１０２の画面に警備ボタンか、警備解除ボタンのいずれか一方しか表示していないため、入力タッチ操作により直ちにボタン種別の判断が可能である。あるいは、図５および図６のように、警備ボタンと警備解除ボタンの表示位置座標が異ならせている場合には、タッチ操作により入力された位置座標を取得して、当該位置座標によってボタン種別を判断する構成とすることも可能である。
【００６６】
そして、ステップＳ２０５のボタン種別の判断によって、警備ボタンのタッチ操作と判断した場合には（ステップＳ２０５：警備ボタン）、タッチ検出部１１７は、警備信号を警備状態切替部１１２に送出する（ステップＳ２０６）。一方、警備解除ボタンのタッチ操作と判断した場合には（ステップＳ２０５：警備解除ボタン）、タッチ検出部１１７は、警備解除信号を警備状態切替部１１２に送出する（ステップＳ２０７）。
【００６７】
そして、各信号を受け取った警備状態切替部１１２は、警備状態の切替処理を行う（ステップＳ２０８）。その結果、警備状態が警備モードに切り替わった場合には、メッセージ出力部によって「警備を開始しました」等の旨のメッセージを出力し、警備状態が警備解除モードに切り替わった場合には、メッセージ出力部によって「警備を解除しました」等の旨のメッセージを出力する（ステップＳ２０９）。なお、かかるメッセージ出力の要求は、警備状態切替部１１２によってメッセージ出力部１０３に対して行われる。
【００６８】
ここで、ステップＳ２０８における警備状態切替部１１２による警備状態の切替処理について説明ずる。図７は、警備状態切替部１１２による警備状態の切替処理の手順を示すフローチャートである。
【００６９】
警備状態切替部１１２は、タッチ検出部１１７から信号を入力すると、入力信号が警備信号か警備解除信号かを判断する（ステップＳ７０１）。そして、入力信号が警備信号の場合には、警備状態を警備解除モードから警備モードに移行する（ステップＳ７０２）。ここで、警備モードへの移行は、警備状態記憶部１１５に記憶されている警備状態に警備モードに設定し、かつメッセージ出力部１０３に「警備を開始しました」等の旨のメッセージ内容とともに、メッセージ要求信号を送出することにより行われる。
【００７０】
一方、入力信号が警備解除信号の場合には、警備状態を警備モードから警備解除モードに移行する（ステップＳ７０３）。ここで、警備解除モードへの移行は、警備状態記憶部１１５に記憶されている警備状態に警備解除モードに設定し、かつメッセージ出力部１０３に「警備を解除しました」等の旨のメッセージ内容とともに、メッセージ要求信号を送出することにより行われる。
【００７１】
このような警備状態の切替処理によって、警備区域の警備状態が変更される。すなわち、警備モードに移行した場合には、センサ１２０ａ〜１２０ｎからの検知信号を受信した場合、警報送信部１１６によって警報が監視センタに送信される。一方、警備解除モードに移行した場合には、センサ１２０ａ〜１２０ｎからの検知信号を受信した場合でも、警報は監視センタに送信されない。
【００７２】
このように実施の形態１にかかる警報装置１００では、警備切替の第１段階として、操作者にＩＤカードをカードリーダ１０１に挿入させ、照合部１１３によってカードリーダ１０１から入力されたＩＤ情報が正当か否かを照合する。正当であると判断された場合には、第２段階として、警備区域の警備状態が警備モードのときには、液晶タッチパネル１０２に警備解除ボタンを表示し、警備状態が警備解除モードであるには、液晶タッチパネル１０２に警備ボタンを表示する。そして、警備状態切替部１１２によって、液晶タッチパネル１０２から警備ボタンがタッチ操作された場合に警備状態を警備モードに切替え、警備解除ボタンがタッチ操作された場合に警備状態を警備解除モードに切替えるので、警備状態の切替の際に、ＩＤカードの挿入操作と併せて、液晶タッチパネル１０２へのボタン表示およびタッチ操作という視覚的要素を含む操作の２段階の操作が必要となり、操作者は現在の警備状態を把握することが容易となり、警備切替時の誤操作を防止し、警報装置１００の誤報のさらなる低減を図ることができる。
【００７３】
また、実施の形態１にかかる警報装置１００では、表示制御部１１８によって、液晶タッチパネル１０２に警備状態が警備モードのときに警備解除ボタンを、警備解除モードのときには警備ボタンを別個に表示させているので、警備ボタンと警備解除ボタンのタッチ操作の誤りを未然に防止し、警報装置１００の誤報のさらなる低減を図ることができる。
【００７４】
（実施の形態２）
実施の形態１にかかる警報装置１００では、表示制御部１１８によって、警備状態が警備解除モードの場合には常に警備解除ボタンを、液晶タッチパネル１０２に表示していたが、この実施の形態２にかかる警報装置では、各種防犯センサ１２０ａ〜１２０ｎの状態が警備に適した状態か否かを判断して、警備解除ボタンを、液晶タッチパネル１０２に表示するものである。
【００７５】
図８は、実施の形態２にかかる警報装置８００の構成を示すブロック図である。図８に示すとおり、本実施の形態の警報装置８００は、ＩＤ情報入力部１０１と、液晶タッチパネル１０２と、制御部８１０と、メッセージ出力部１０３とから構成され、監視対象の警備区域に設置された各種防犯センサ１２０ａ〜１２０ｎに接続されている。ここで、ＩＤ情報入力部（カードリーダ）１０１、液晶タッチパネル１０２、メッセージ出力部１０３、各種防犯センサ１２０ａ〜１２０ｎの構成は実施の形態１の警報装置１００と同様であるため、図１と同一符号を付し詳細な説明を省略する。
【００７６】
制御部８１０は、警報装置８００におけるＩＤ情報の照合や、警備状態の切替え、液晶タッチパネル１０２への表示、液晶タッチパネル１０２からのタッチ入力、防犯センサ１２０ａ〜１２０ｎの警備可能状態の判別などの各種制御を行うものである。この制御部８１０は、検知信号入力部１１１と、判別部８０１と、警備状態切替部１１２と、照合部１１３と、警報送信部１１６と、タッチ検出部１１７と、表示制御部８１８と、ＩＤ情報記憶部１１４と、警備状態記憶部１１５とから構成されている。
【００７７】
ここで、検知信号入力部１１１、警備状態切替部１１２、照合部１１３、警報送信部１１６、タッチ検出部１１７、ＩＤ情報記憶部１１４および警備状態記憶部１１５の構成は、実施の形態１の警報装置１００と同様であるため、図１と同一符号を付し詳細な説明を省略する。
【００７８】
判別部８０１は、各種防犯センサ１２０ａ〜１２０ｎが警備の開始に適した状態であるか否かという警備可能状態、即ち窓や扉を閉め忘れていてセンサが侵入者を検知した場合と同様の検知信号を発しているかを常時判別している。そして、その判別結果を、窓や扉を閉め忘れていてセンサが侵入者を検知した場合と同様の検知信号を発している場合には「警備不可能」、前記検知信号を発していない場合には「警備可能」として保持している。
【００７９】
本実施の形態における表示制御部８１８は、実施の形態１の表示制御部１１８と同様に、警備ボタン、警備解除ボタンを含む各種描画情報を生成して表示属性を設定し、画面上の位置座標を指定して生成した描画情報を液晶タッチパネル１０２に表示する。さらに本実施の形態の表示制御部８１８は、警備ボタンを表示する際に、判別部８０１に判別結果を問い合わせ、警備可能状態が警備可能である場合にのみ警備ボタンを表示する制御を行っている。
【００８０】
本実施の形態の警報装置８００においては、表示制御部８１８による液晶タッチパネル１０２への警備ボタンおよび警備解除ボタンの表示処理が実施の形態１の警報装置１００と異なっている。警備切替の全体処理、警備状態切替部１１２による警備状態の切替処理については、実施の形態１にかかる警報装置１００と同様である。
【００８１】
図９は、表示制御部８１８による液晶タッチパネル１０２への警備ボタンおよび警備解除ボタンの表示処理の手順を示すフローチャートである。表示制御部８１８では、まず警備状態記憶部１１５からの警備状態を読み込み（ステップＳ９０１）、警備状態を判断する（ステップＳ９０２）。そして、現在の警備状態が警備解除モードの場合（ステップＳ９０２：警備解除モード）、すなわち警備区域が警備中でない場合には、各種防犯センサ１２０ａ〜１２０ｎが警備に適した状態か否か、すなわち上述の現在、警備可能状態か否かの判別結果を判別部８０１から取得し（ステップＳ９０３）、取得した警備可能状態が警備可能か否かを判断する（ステップＳ９０４）。
【００８２】
そして、警備可能状態が警備可能でない場合（警備不可能な場合）には（ステップＳ９０４：Ｎｏ）、「警備を開始できません」等のメッセージ内容とともにメッセージ要求信号をメッセージ出力部１０３に送出し、これによりメッセージ出力部１０３によって上記エラーメッセージが出力される（ステップＳ９０９）。
【００８３】
一方、ステップＳ９０４で、警備可能状態が警備可能である場合には（ステップＳ９０４：Ｙｅｓ）、警備ボタンの表示を行う（ステップＳ９０５〜Ｓ９０８）。ここで、警備ボタンの表示処理は、実施の形態１における表示制御部１１８による処理（図３におけるステップＳ３０３〜Ｓ３０６）と同様に行われる。
【００８４】
また、ステップＳ９０２において、警備状態が警備モードである場合の警備解除ボタンの表示処理（ステップＳ９１０〜Ｓ９１３）は、実施の形態１における表示制御部１１８による処理（図３におけるステップＳ３０７〜Ｓ３１０）と同様に行われる。
【００８５】
このように実施の形態２にかかる警報装置８００では、表示制御部８１８によって、判別部８０１による判別結果が各種防犯センサ１２０ａ〜１２０ｎが警備に適した状態にあると判断した場合にのみ、警備ボタンを液晶タッチパネル１０２に表示させているので、各種防犯センサ１２０ａ〜１２０ｎが検知信号を出力中などの警備に適さない状態にある場合には、物理的に警備状態の警備モードへの切り替えが不可能となり、警備区域が無警備状態になることを防止することができる。
【００８６】
（実施の形態３）
実施の形態１および２にかかる警報装置１００、８００は、液晶タッチパネル１０２に警備ボタンと警備解除ボタンのいずれか一方を、現在の警備モードに応じて表示するものであったが、この実施の形態３にかかる警報装置は、液晶タッチパネル１０２に警備ボタンと警備解除ボタンを同時に表示するものである。
【００８７】
実施の形態３にかかる警報装置の構成は、実施の形態１で示した図１の構成と同様である。ただし、本実施の形態における表示制御部１１８は、警備状態の各モードに拘わらず、液晶タッチパネル１０２に警備ボタンと警備解除ボタンを同時に表示するようになっている。
【００８８】
また、警備状態切替部１１２は、警備状態によって警備ボタンまたは警備解除ボタンからのタッチ操作を無効としている。すなわち、警備状態が警備モードの場合には、警備ボタンがタッチされても警備信号を送出せず、警備状態が警備解除モードの場合には、警備解除ボタンがタッチされても警備解除信号を送出しないように制御している。
【００８９】
図１０は、本実施の形態にかかる警報装置１００の表示制御部１１８による液晶タッチパネル１０２への警備ボタンおよび警備解除ボタンの表示処理の手順を示すフローチャートである。
【００９０】
表示制御部１１８では、警備ボタンを液晶タッチパネル１０２に表示するために次の処理を行う。まず、描画する警備ボタンおよびその周辺部分の領域の形状を生成し（ステップＳ１００１）、生成された警備ボタンおよび周辺部分（バックライト等）の表示属性を設定し（ステップＳ１００２）、警備ボタンおよび周辺部分の領域の座標位置を決定する（ステップＳ１００３）。
【００９１】
また、表示制御部１１８では、警備解除ボタンを液晶タッチパネル１０２に表示するために次の処理を行う。まず、描画する警備解除ボタンおよびその周辺部分の領域の形状を生成し（ステップＳ１００４）、生成された警備解除ボタンおよび周辺部分（バックライト等）の表示属性を設定し（ステップＳ１００５）、警備ボタンおよび周辺部分の領域の座標位置を決定する（ステップＳ１００６）。
【００９２】
次に、表示制御部１１８は、背景の表示属性の設定を行い（ステップＳ１００７）、警備ボタン、警備解除ボタン、各周辺部分の領域、および背景を液晶タッチパネル１０２に出力する（ステップＳ１００８）。これにより、液晶タッチパネル１０２の画面に警備ボタンと警備解除ボタンが表示されることになる。
【００９３】
図１１は、本実施の形態の液晶タッチパネル１０２の画面上における警備ボタンと警備解除ボタンの表示例を示す説明図である。図１１に示すように、本実施形態の警報装置１００では、警備状態に拘わらず、警備ボタンと警備解除ボタンの両方が表示されることになる。
【００９４】
ここで、ステップＳ１００２およびＳ１００５で、警備ボタンと警備解除ボタンまたは各周辺部分の領域の表示属性を異なる属性に設定すると、各両ボタンまたは各周辺領域が異なって液晶タッチパネル１０２に表示される。表示属性としては、輝度、明度、彩度、色彩、反転の有無などを設定することができる。図１２は、警備ボタンの周辺部分（バックライト）と警備解除ボタンの周辺部分（バックライト）を異なる表示属性で表示した場合の表示例を示す説明図である。なお、この図では、各ボタンのハッチング種別により表示属性の相違を示している。図１２に示すように、警備ボタンまたはその周辺部分の表示属性と警備解除ボタンまたはその周辺部分の表示属性とが異なった属性で表示されている。このように各ボタンまたはその周辺部分の表示属性を変えることにより、操作者に対し現在の警備状態において行うべきボタンのタッチ操作を視覚的に認識させることができ、誤操作を未然に防止することができる。例えば、操作者が帰宅時に警備を解除しようと思ってカードリーダ１０１にＩＤカードを挿入する操作を行ったが、誤って警備解除ボタンをタッチして、その場を立ち去ってしまうという誤操作を回避することが可能となる。
【００９５】
また、ステップＳ１００１およびＳ１００４で、警備ボタンと警備解除ボタンの形状を異なる形状で生成しても良い。図１３は、警備ボタンの形状と警備解除ボタンの形状を異なる形状で生成した場合の表示例を示す説明図である。この場合も、各ボタンの形状の相違によって、操作者に対し現在の警備状態において行うべきボタンのタッチ操作を視覚的に認識させることができ、誤操作を未然に防止することができる。
【００９６】
次に、警備状態切替部１１２による警備状態の切替処理について説明ずる。図１４は、警備状態切替部１１２による警備状態の切替処理の手順を示すフローチャートである。
【００９７】
警備状態切替部１１２は、タッチ検出部１１７から信号を入力すると、入力信号が警備信号か警備解除信号かを判断する（ステップＳ１４０１）。そして、入力信号が警備信号の場合には、警備状態記憶部１１５から現在の警備状態を取得し（ステップＳ１４０２）、取得した警備状態が警備モードか警備解除モードかを判断する（ステップＳ１４０３）。
【００９８】
そして、警備状態が警備モードの場合には（ステップＳ１４０３：警備モード）、警備モードにも拘わらず、液晶タッチパネル１０２の画面上で警備ボタンが表示されたことになるので、警備状態の警備モードへの移行は行わず、「すでに警備が開始されています」等のメッセージ内容とともにメッセージ出力部１０３にメッセージ要求信号を送出する（ステップＳ１４０５）。これによって、メッセージ出力部１０３によって、上記エラーメッセージが出力される。
【００９９】
一方、ステップＳ１４０３において、現在の警備状態が警備解除モードの場合には、警備状態を警備モードに移行する（ステップＳ１４０４）。すなわち、警備状態記憶部１１５に設定されている警備状態を警備モードに変更し、「警備を開始します」等のメッセージ内容とともに、メッセージ出力部１０３にメッセージ要求信号を送出する。
【０１００】
ステップＳ１４０１において、タッチ検出部１１７からの入力信号が警備解除信号である場合には、警備状態記憶部１１５から現在の警備状態を取得し（ステップＳ１４０６）、取得した警備状態が警備モードか警備解除モードかを判断する（ステップＳ１４０７）。
【０１０１】
そして、警備状態が警備解除モードの場合には（ステップＳ１４０７：警備解除モード）、警備解除モードにも拘わらず、液晶タッチパネル１０２の画面上で警備解除ボタンが表示されたことになるので、警備状態の警備解除モードへの移行は行わず、「すでに警備が解除されています」等のメッセージ内容とともにメッセージ出力部１０３にメッセージ要求信号を送出する（ステップＳ１４０９）。これによって、メッセージ出力部１０３によって、上記エラーメッセージが出力される。
【０１０２】
一方、ステップＳ１４０７において、現在の警備状態が警備モードの場合には（ステップＳ１４０７：警備モード）、警備状態を警備解除モードに移行する（ステップＳ１４０８）。すなわち、警備状態記憶部１１５に設定されている警備状態を警備解除モードに変更し、「警備を解除します」等のメッセージ内容とともに、メッセージ出力部１０３にメッセージ要求信号を送出する。
【０１０３】
このように実施の形態３にかかる警報装置１００では、表示制御部１１８によって、入力されたＩＤ情報が正当であると判断された場合に、警備解除ボタンと警備ボタンとを、液晶タッチパネル１０２に同時に表示させ、警備状態切替部１１２によって、現在の警備状態が警備モードであるときにのみ液晶タッチパネル１０２からの警備解除ボタンのタッチ操作を受け付けて警備状態を警備解除モードに切り替える。また、警備状態が警備解除モードのときにのみ液晶タッチパネル１０２からの警備ボタンのタッチ操作を受け付けて警備状態を警備モードに切り替える。このため、警備切替の際に、液晶タッチパネル１０２への警備ボタンおよび警備解除ボタンの表示、表示された各ボタンのタッチ操作という視覚的要素を含む操作を、ＩＤ情報のカードリーダ１０１への入力操作と併せて２段階で操作者に行わせている。このため、操作者は現在の警備状態を把握することが容易となり、警備切替時の誤操作を防止し、警報装置の誤報のさらなる低減を図ることができる。
【０１０４】
また、実施の形態３にかかる警報装置１００では、警備状態が警備モードであるときにのみ警備解除ボタンのタッチ操作を受け付け、警備状態が警備解除モードであるときにのみ警備ボタンのタッチ操作を受け付けるので、液晶タッチパネル１０２から警備ボタンと警備解除ボタンの誤ったタッチ操作がされた場合でも警備状態の切り替えは行われず、警報装置の誤報のさらなる低減を図ることができる。
【０１０５】
（実施の形態４）
実施の形態１〜３にかかる警報装置１００、８００は、液晶タッチパネル１０２から警備ボタンまたは警備解除ボタンのタッチ操作を行った場合、特に液晶タッチパネル１０２の画面は変化しないものであったが、この実施の形態４にかかる警報装置１００は、警備ボタンまたは警備解除ボタンのタッチ操作を行った場合、警備ボタンまたは警備解除ボタン、各周辺部分の領域あるいは画面の背景（バックライト）の表示属性を変更するものである。
【０１０６】
実施の形態４にかかる警報装置の構成は、実施の形態３の警報装置１００の構成（図１の構成）と同様である。ただし、本実施の形態における警備状態切替部１１２は、タッチ操作のあったボタンの表示属性を変更する属性変更要求信号を表示制御部１１８に送出し、当該属性変更要求信号を受けた表示制御部１１８は、要求のあったボタンの表示属性を変更するようになっている。
【０１０７】
次に、警備状態切替部１１２による警備状態の切替処理について説明する。なお、表示制御部１１８による警備ボタンおよび警備解除ボタンの液晶タッチパネル１０２への表示処理は、実施の形態３の警報装置１００における表示処理と同様に行われる。
【０１０８】
図１５は、警備状態切替部１１２による警備状態の切替処理の手順を示すフローチャートである。警備状態切替部１１２は、まず、表示制御部１１８に対し、タッチ検出部１１７によって検出した警備ボタンまたは警備解除ボタンの表示属性を変更する旨の属性変更要求信号を送出する（ステップＳ１５０１）。そして、警備状態切替部１１２は、警備状態の切替処理を行う（ステップＳ１５０２〜Ｓ１５１０）。この警備状態の切替処理は、実施の形態３の切替処理（図１４におけるステップＳ１４０１〜Ｓ１４０９）と同様の処理が行われる。
【０１０９】
一方、属性変更要求信号を受け取った表示制御部１１８は、タッチ操作のあったボタンの表示属性を変更して液晶タッチパネル１０２への再表示を行う。ここで、表示属性としては、輝度、明度、彩度、色彩、反転の有無などを設定することができる。図１６（ａ）は、タッチ操作のあった警備ボタンの表示属性を変更して再表示した場合の例を示す説明図である。
【０１１０】
また、ボタンの表示属性ではなく、各ボタンの周辺部分の領域、あるいは画面背景（バックライト）の表示属性を変更するように構成しても良い。図１６（ｂ）は、タッチ操作のあった警備ボタンの周辺部分の領域の表示属性を変更して再表示した場合の例を示す説明図である。図１６（ｃ）は、タッチ操作があった場合、画面背景の全体（バックライト）の表示属性を変更して再表示した場合の例を示す説明図である。
【０１１１】
このように実施の形態４にかかる警報装置１００では、警備状態切替部１１２によって、タッチ操作がされたボタンの属性変更要求を表示制御部１１８に対して行い、表示制御部１１８によって、液晶タッチパネル１０２からタッチ操作がされたボタンの表示属性を変更して液晶タッチパネル１０２に表示させているので、操作者にボタンをタッチ操作したことおよび自分がタッチ操作したボタンを確認させ、ボタンの誤操作による警報装置の誤報のさらなる低減を図ることができる。
【０１１２】
すなわち、液晶タッチパネル１０２に描画されるボタンは、通常の機械的なボタンと比較して、押下（タッチ操作）の際の感度は比較的良好でない。しかし、かかる感度の不良によって、逆に誤操作を低減させることができる。また、操作者は、例えば、駅等の切符販売で慣用されている、タッチ操作を行った表示属性の変更というフィードバックによって、確かに入力したということを認識することができ、誤操作防止と操作者の確認の便宜となる。
【０１１３】
（実施の形態５）
実施の形態１〜４にかかる警報装置１００、８００は、液晶タッチパネル１０２から警備ボタンまたは警備解除ボタンをタッチした場合、直ちにタッチ検出部１１７によって警備信号または警備解除信号を警備状態切替部１１２に送出していたが、この実施の形態５にかかる警報装置１７００は、警備ボタンまたは警備解除ボタンを所定時間継続してタッチしないと警備信号または警備解除信号を発しない構成としたものである。
【０１１４】
図１７は、実施の形態５にかかる警報装置１７００の構成を示すブロック図である。図１７に示すとおり、本実施の形態の警報装置１７００は、ＩＤ情報入力部１０１と、液晶タッチパネル１０２と、制御部１７１０と、メッセージ出力部１０３と、タイマ１７２０とから構成され、監視対象の警備区域に設置された各種防犯センサ１２０ａ〜１２０ｎに接続されている。ここで、ＩＤ情報入力部（カードリーダ）１０１と、液晶タッチパネル１０２と、メッセージ出力部１０３と、各種防犯センサ１２０ａ〜１２０ｎの構成は実施の形態１の警報装置１００と同様であるため、図１と同一符号を付し詳細な説明を省略する。
【０１１５】
タイマ１７２０は、制御部１７１０に接続され、タッチ検出部１７１７の要求によって起動し、液晶タッチパネル１０２からのタッチ操作が行われてからの時間を計時するものである。なお、本実施の形態の警報装置１７００では、タイマ１７２０としてハードウェアタイマを使用している。ただし、タイマ１７２０をソフトウェアで構成することも可能である。
【０１１６】
制御部１７１０は、警報装置１７００におけるＩＤ情報の照合や、警備状態の切替え、液晶タッチパネル１０２への表示、液晶タッチパネル１０２からのタッチ入力、防犯センサ１２０ａ〜１２０ｎの警備可能状態の判別などの各種制御を行うものである。この制御部１７１０は、検知信号入力部１１１と、判別部８０１と、警備状態切替部１１２と、照合部１１３と、警報送信部１１６と、タッチ検出部１７１７と、表示制御部８１８と、ＩＤ情報記憶部１１４と、警備状態記憶部１１５とから構成されている。
【０１１７】
ここで、警備状態切替部１１２、照合部１１３、警報送信部１１６、ＩＤ情報記憶部１１４および警備状態記憶部１１５、判別部８０１の構成は、実施の形態２の警報装置８００と同様であるため、図８と同一符号を付し詳細な説明を省略する。
【０１１８】
本実施の形態のタッチ検出部１７１７は、本発明における入力検出手段を構成し、実施の形態２のタッチ検出部１１７と同様に、液晶タッチパネル１０２の画面上からタッチ操作が行われたときに送出されるタッチ信号を検出し、タッチ操作が行われたボタンが警備ボタンか警備解除ボタンかを判断する。また、タッチ検出部１７１７は、タッチ信号を検出したときにタイマ１７２０を起動し、警備ボタンのタッチ信号の場合にはタッチ信号の入力が一定時間Ｔ１経過まで継続して行われたときに警備信号を警備状態切替部１１２に送出する。また、警備解除ボタンのタッチ信号の場合には、タッチ信号の入力が一定時間Ｔ２経過まで継続して行われたときに警備解除信号を警備状態切替部１１２に送出する。なお、一定時間Ｔ１は一定時間Ｔ２より、短く設定されている。このため、帰宅時の急いでいるときに、警備状態を警備モードに切り替えるために要する時間が短時間ですみ操作者の便宜が図られる。
【０１１９】
次に、タッチ検出部１７１７によるタッチ操作の検出処理について説明する。なお、表示制御部８１８による警備ボタンおよび警備解除ボタンの液晶タッチパネル１０２への表示処理は、実施の形態２の警報装置８００における各処理と同様に行われる。
【０１２０】
図１８は、タッチ検出部１７１７によるタッチ操作の検出処理の手順を示すフローチャートである。タッチ検出部１７１７は、液晶タッチパネル１０２からのタッチ操作によるタッチ信号を検出すると、タイマ１７２０を起動する（ステップＳ１８０１）。
【０１２１】
そして、タッチ検出部１７１７は入力されたタッチ信号のボタンの種別を判断する（ステップＳ１８０２）。判断の結果、警備ボタンのタッチ操作と判断した場合には（ステップＳ１８０２：警備ボタン）、一定時間Ｔ１が経過するまで、警備ボタンのタッチ信号の入力が継続して行われたか否かを判断し（ステップＳ１８０３）、一定時間Ｔ１経過まで入力が継続して行われた場合に警備信号を警備状態切替部１１２に送出する（ステップＳ１８０４）。一定時間Ｔ１経過までにタッチ信号の入力が行われなくなったら、タイマの初期化を行って再度タッチ操作の待ち状態となる。
【０１２２】
一方、ステップＳ１８０２における判断の結果、警備解除ボタンのタッチ操作と判断した場合には（ステップＳ１８０２：警備解除ボタン）、一定時間Ｔ２が経過するまで、警備解除ボタンのタッチ信号の入力が継続して行われたか否かを判断し（ステップＳ１８０５）、一定時間Ｔ２経過まで入力が継続して行われた場合に警備解除信号を警備状態切替部１１２に送出する（ステップＳ１８０６）。一定時間Ｔ２経過までにタッチ信号の入力が行われなくなったら、タイマの初期化を行って再度タッチ操作の待ち状態となる。
【０１２３】
警備信号または警備解除信号の送出後、警備状態切替部１１２による警備状態の切替処理が行われる。警備状態切替部１１２による警備状態の切替処理は、実施の形態２の警報装置８００における各処理と同様に行われる。
【０１２４】
このように実施の形態５にかかる警報装置１７００では、タッチ検出部１７１７によって、警備ボタンが一定時間Ｔ１以上タッチされたときに警備信号を警備状態切替部１１２に送出し、警備解除ボタンが一定時間Ｔ２以上タッチされたときに警備解除信号を警備状態切替部１１２に送出しているので、操作者が現在の警備状態を認識することができ、ボタンの誤操作による警報装置１７００の誤報のさらなる低減を図ることができる。
【０１２５】
なお、実施の形態５にかかる警報装置では、タッチ操作時間Ｔ１をＴ２より短く設定しているが、Ｔ１とＴ２とを異なる時間に設定すれば、いずれを長く設定しても良い。
【０１２６】
【発明の効果】
以上説明したように、請求項１にかかる発明によれば、操作者は現在の警備状態を把握することが容易となり、警備切替時の誤操作を防止し、警報装置の誤報のさらなる低減を図ることができるという効果を奏する。また、この請求項１にかかる発明によれば、警備指示情報と警備解除指示情報の誤った指定を未然に防止し、警報装置の誤報のさらなる低減を図ることができるという効果を奏する。
【０１２７】
また、請求項２にかかる発明によれば、警備状態によって指定すべき指示情報を操作者に視覚的に認識させ、警備指示情報と警備解除指示情報の誤った指定を未然に防止し、警報装置の誤報のさらなる低減を図ることができるという効果を奏する。
【０１２８】
また、請求項３にかかる発明によれば、警備状態によって指定すべき指示情報を表示属性の相違によって操作者に視覚的により明確に認識させ、警備指示情報と警備解除指示情報の誤った指定を未然に防止し、警報装置の誤報のさらなる低減を図ることができるという効果を奏する。
【０１２９】
また、請求項４にかかる発明によれば、警備区域が無警備状態になることを防止することができるという効果を奏する。
【０１３０】
また、請求項５にかかる発明によれば、操作者は現在の警備状態を把握することが容易となり、警備切替時の誤操作を防止し、警報装置の誤報のさらなる低減を図ることができるという効果を奏する。また、この請求項５にかかる発明によれば、表示入力手段から警備指示情報と警備解除指示情報の誤った指定がされた場合でも警備状態の切り替えは行わず、警報装置の誤報のさらなる低減を図ることができるという効果を奏する。
【０１３１】
また、請求項６にかかる発明によれば、警備状態によって指定すべき指示情報を表示属性の相違によって操作者に視覚的により明確に認識させ、警備指示情報と警備解除指示情報の誤った指定を未然に防止し、警報装置の誤報のさらなる低減を図ることができるという効果を奏する。
【０１３２】
また、請求項７にかかる発明によれば、警備状態によって指定すべき指示情報を形状の相違によって操作者に視覚的により明確に認識させ、警備指示情報と警備解除指示情報の誤った指定を未然に防止し、警報装置の誤報のさらなる低減を図ることができるという効果を奏する。
【０１３３】
また、請求項８にかかる発明によれば、操作者に指示情報を指定したことおよび自分が指定した指示情報を確認させ、指示情報の誤操作による警報装置の誤報のさらなる低減を図ることができるという効果を奏する。
【０１３４】
また、請求項９にかかる発明によれば、操作者が現在の警備状態を認識することができ、指示情報の誤操作による警報装置の誤報のさらなる低減を図ることができる。
【図面の簡単な説明】
【図１】実施の形態１にかかる警報装置の構成を示すブロック図である。
【図２】実施の形態１にかかる警報装置における警備状態の切替の全体処理の手順を示すフローチャートである。
【図３】実施の形態１の表示制御部による液晶タッチパネルに対する警備ボタンまたは警備解除ボタンの表示処理の手順を示すフローチャートである。
【図４】図４（ａ）は、実施の形態１の警報装置において液晶タッチパネル画面上における警備ボタンの表示例を示す説明図であり、図４（ｂ）は、警備解除ボタンの表示例を示す説明図である。
【図５】図５（ａ）および（ｂ）は、実施の形態１の警報装置において警備ボタンと警備解除ボタンを異なる座標位置に表示した場合の表示例を示す説明図である。
【図６】図６（ａ）および（ｂ）は、実施の形態１の警報装置において警備ボタンと警備解除ボタンを異なる表示属性で表示した場合の表示例を示す説明図である。
【図７】実施の形態１の警備状態切替部による警備状態の切替処理の手順を示すフローチャートである。
【図８】実施の形態２にかかる警報装置の構成を示すブロック図である。
【図９】実施の形態２の表示制御部による液晶タッチパネルへの警備ボタンおよび警備解除ボタンの表示処理の手順を示すフローチャートである。
【図１０】実施の形態３の表示制御部による液晶タッチパネルへの警備ボタンおよび警備解除ボタンの表示処理の手順を示すフローチャートである。
【図１１】実施の形態３の液晶タッチパネル画面上における警備ボタンと警備解除ボタンの表示例を示す説明図である。
【図１２】実施の形態３の警備ボタンの周辺部分と警備解除ボタンの周辺部分を異なる表示属性で表示した場合の表示例を示す説明図である。
【図１３】実施の形態３の警備ボタンの形状と警備解除ボタンの形状を異なる形状で生成した場合の表示例を示す説明図である。
【図１４】実施の形態３の警備状態切替部による警備状態の切替処理の手順を示すフローチャートである。
【図１５】実施の形態４の警備状態切替部による警備状態の切替処理の手順を示すフローチャートである。
【図１６】図１６（ａ）は、実施の形態３の警報装置においてタッチ操作のあった警備ボタンの表示属性を変更して再表示した場合の例を示す説明図である。図１６（ｂ）は、タッチ操作のあった警備ボタンの周辺部分の領域の表示属性を変更して再表示した場合の例を示す説明図である。図１６（ｃ）は、タッチ操作があった場合、画面背景の全体の表示属性を変更して再表示した場合の例を示す説明図である。
【図１７】実施の形態５にかかる警報装置の構成を示すブロック図である。
【図１８】実施の形態５のタッチ検出部によるタッチ操作の検出処理の手順を示すフローチャートである。
【図１９】従来の警報装置の構成の一例を示す説明図である。
【符号の説明】
１００，８００，１７００　警報装置
１０１　ＩＤ情報入力部（カードリーダ）
１０２　液晶タッチパネル
１０３　メッセージ出力部
１１０，８１０，１７１０　制御部
１１１　検知信号入力部
１１２　警備状態切替部
１１３　照合部
１１４　情報記憶部
１１５　警備状態記憶部
１１６　警報送信部
１１７　タッチ検出部
１１８，８１８　表示制御部
１２０ａ〜１２０ｎ　各種防犯センサ
８０１　判別部
１７１７　タッチ検出部
１７２０　タイマ
【図１】
2004046456.tif 000003
【図２】
2004046456.tif 000004
【図３】
2004046456.tif 000005
【図４】
2004046456.tif 000006
【図５】
2004046456.tif 000007
【図６】
2004046456.tif 000008
【図７】
2004046456.tif 000009
【図８】
2004046456.tif 000010
【図９】
2004046456.tif 000011
【図１０】
2004046456.tif 000012
【図１１】
2004046456.tif 000013
【図１２】
2004046456.tif 000014
【図１３】
2004046456.tif 000015
【図１４】
2004046456.tif 000016
【図１５】
2004046456.tif 000017
【図１６】
2004046456.tif 000018
【図１７】
2004046456.tif 000019
【図１８】
2004046456.tif 000020
【図１９】
2004046456.tif 000021